(57)【要約】【課題】自然石にて浄化の液体を効率的且つ安全に飲むことのできる容器を提供する。【解決手段】液体を吸い出すためのストロー１４を有する容器１０であって、容器下部４に配置の浄化作用を有する粒状自然石２４を、容器開口１６から出ないように覆い蓋２０にて覆い、ストロー１４が、覆い蓋２０を通過して容器下部４に配置可能な構成である。【選択図】図１
2008081159.tif 000002
【特許請求の範囲】
【請求項１】
液体を吸い出すためのストローを有する容器であって、
前記容器下部に配置の浄化作用を有する粒状自然石が、容器開口から出ないように覆い蓋にて覆い、
前記ストローの吸い口が、前記覆い蓋を通過して前記容器下部に配置可能な構成であることを特徴とする容器。
【請求項２】
請求項１に記載の容器であって、
前記覆い蓋は、前記ストローを挿入可能な挿入部を有し、
前記挿入部は、前記粒状自然石が通過不能な径寸法の狭小部を有し、前記狭小部は、前記ストローを挿入することで弾性的に拡開する構成であることを特徴とする容器。
【請求項３】
請求項１又は２に記載の容器であって、
前記覆い蓋は、前記容器と別体であって、且つ前記容器開口を通過する形状に変形可能な可撓性を有し、
前記容器は、前記自然石よりも上部に前記覆い蓋を係止するための係合部を有することを特徴とする容器。
【発明の詳細な説明】
【技術分野】
【０００１】
本発明は容器に関し、詳しくは、その内部に自然石を収納した液体用容器に関する。
【背景技術】
【０００２】
従来、ゼオライト（沸石）や麦飯石などの浄化作用を有する自然石を利用して液体を浄化する技術がある。例えば特許文献１に記載の技術では、浄化作用を有する微細な自然石（粒径０．０１μ〜１０μｍ）を、持ち運びに便利な大きさのシート体に埋設する。このシート体を、ペットボトルなどの容器に投入してその内部の液体を浄化する。
【特許文献１】特開平２００１−９８０号公報
【発明の開示】
【発明が解決しようとする課題】
【０００３】
しかしながら、上述の微細な自然石はその表面積が極めて小さいので、容器内全ての液体を浄化するには時間がかかるものであった。
ここで自然石の浄化作用は、液体と接する自然石表面積（例えば、自然石表面に形成の微細孔内面積）に比例し、大きな粒径の自然石ほどその浄化作用が高い。このため浄化時間を早めるには、容器内に入れるべき自然石の粒径を単純に大きく（例えば粒径φ０．５ｃｍ〜１．０ｃｍ）すればよいとも考えられる。
しかし、粒径の大きい自然石は容器の底に沈むため、容器下部の液体浄化は比較的早いが、容器上部（特に、実際に飲用する開口付近）の液体浄化は若干遅い。さらに、粒径の大きい自然石を容器開口から容易に取り出し可能とすると、子供やお年寄りが誤飲する危険性がある。
本発明は、上述の点に鑑みて創案されたものであり、本発明の課題とするところは、自然石にて浄化の液体を効率的且つ安全に飲むことのできる容器を提供することにある。
【課題を解決するための手段】
【０００４】
上記課題を解決するための手段として、本発明の第１発明の容器は、その下部に、浄化作用を有する粒状自然石を配置して自然石上方を覆い蓋にて覆う構成であり、さらにストローの吸い口が覆い蓋を通過して容器下部に配置可能な構成である。
本発明の容器は、その下部に配置の粒状自然石を覆い蓋にて覆う構成なので、容器開口から自然石が容易には出てこない（自然石が容器内に保持される）。また容器は、ストローの吸い口が、覆い蓋を通過して容器下部に配置可能なので、容器下部の液体（自然石にて浄化済みの液体）をストローにて効率良く吸い出すことができる。
【０００５】
また本発明の第２発明は、第１発明に記載の容器であって、容器開口から挿入のストローは、覆い蓋に設けた挿入部を通過して容器下部まで挿入可能である。また覆い蓋の挿入部は、粒状自然石が通過不能な径寸法の狭小部を有している。この狭小部は、ストローの挿入により拡開するとともに、拡開時の反発弾性力によりストローを締め付ける。このため、容器下部に挿入のストローを、容器下部の液体（自然石にて浄化済みの液体）を吸出可能な挿入時の配置位置に位置決め固定することができる。
そして狭小部は、粒状自然石が通過不能な径寸法である。このため容器下部の自然石が、覆い蓋の挿入部を通過して容器上部に出てくることが防止又は低減される。
【０００６】
また本発明の第３発明は、第１発明又は第２発明に記載の容器であって、可撓性を有する覆い蓋（容器とは別体）を、容器開口を通過可能な形状に変形して容器内に入れる。そして容器には、その下部に配置の自然石よりも上部に覆い蓋を係止する係止部があり、この係止部と覆い蓋を係り合せることで、覆い蓋が必ず自然石よりも上部に配置することとなる。
そして容器開口から挿入の先曲り金具などの治具を用いて覆い蓋を引っ張り、覆い蓋と係止部の係り合いを解除する。このように覆い蓋を取り去ることで、容器下部に配置の自然石を容器開口より取り出すことができる。
【０００７】
更に本発明に係る容器は、上記手段以外に次の各手段をとることができる。
すなわち、液体を吸い出すためのストローを有する容器であって、容器下部に配置の浄化作用を有する粒状自然石を、容器開口から出てこないよう覆い蓋にて覆い、覆い蓋は、ストローと一体であって且つ開口を通過して容器内部に出し入れ可能なように変形可能な可撓性を有する。容器には、覆い蓋を係止可能な係止部を有することが好ましい。
上述の構成によれば、ストローを容器に挿入することで同時に、容器下部に配置の浄化作用を有する粒状自然石を覆い蓋（ストローと一体）にて覆うことができる。またストローを開口から取り出すことで覆い蓋（ストローと一体）を容器から取り出し可能である。このため容器は、覆い蓋を取り出すための治具を必要としない。
【発明の効果】
【０００８】
第１発明によれば、自然石により浄化した液体を効率的且つ安全に飲むことのできる容器を提供することができる。更に第２発明の容器によれば、自然石により浄化した液体をより効率的且つより安全に飲むことができる。第３発明の容器によれば、容器内部の自然石を容易に交換することができる。
【発明を実施するための最良の形態】
【０００９】
以下に、本発明を実施するための最良の形態について図面１〜１０を用いて説明する。
［実施例１］
図１は、実施例１の容器の斜視図であり、図２は、同容器の縦断面図である。以下、図２のように容器を配置したときの開口側を上とし底側を下とする。なお各図では、便宜上１個のゼオライトにのみ符号を付す。
本実施１の容器１０は、円筒状の容器本体２に飲料水などの液体を収納するための容器であり、容器１０のキャップ１２を開放して、容器開口１６からストロー１４を容器下部４（後述の凸状係止部１８ａより下の部分）に挿入する。そして容器１０は、容器下部４に配置のストロー１４の吸い口１５にて、ゼオライト２４付近の浄化済み液体を効率良く吸い出す構成である。
【００１０】
容器本体２（ポリプロピレンなどの樹脂製）は、その上部６（後述の凸状係止部１８ａより上の部分）上側が、容器開口１６に向かって細くなるペットボトル（例えば、携帯用の５００ｍｌサイズ）である。容器本体２の下部４には、例えば粒径φ０．８ｍｍ程度のゼオライト２４（浄化作用を有する粒状自然石の一例）が複数配置している。なお容器下部４には、隙間なくぎっしりとゼオライト２４が配置しているわけではなく、ストロー１４を挿入するための隙間を形成可能なだけのゆとりをもたせて複数のゼオライト２４が配置している。そして容器下部４に配置のゼオライト２４は、後述の覆い蓋２０が上方を覆っているので、容器開口１６から容易には出てこない（容器下部４に保持される）構成である。
【００１１】
図３は、覆い蓋の下方斜視図であり、図４（Ｉ）は、容器の一部縦断面図（ストロー挿入前）であり、同図（ＩＩ）は、容器の一部縦断面図（ストロー挿入時）である。
覆い蓋２０は、容器本体２と別体であって、基本形状が中空半球状の樹脂部材（例えばポリプロピレン製で厚み１〜２ｍｍ程度）である。この覆い蓋２０は可撓性を有し、小さく折り畳む（形状を変形する）ことで容器開口１６（図１参照）を通過可能である。
そして折り畳み状態を解いた覆い蓋２０は、容器本体２内において自然に元の基本形状に復元する。基本形状における覆い蓋２０の縁部２２は、容器本体２（先細となった容器上部６を除く）の径寸法とほぼ同一径寸法の円筒状であって、樹脂の有する柔軟性より容器本体２内壁と密着可能である。
【００１２】
そして容器本体２には、その内側に向かって突出形成の凸状係止部１８ａが容器本体２の周回り方向に円状に形成しており、この凸状係止部１８ａは、容器下部４に配置のゼオライト２４よりも上部位置にある。
そして上述の覆い蓋２０を、容器本体２内壁に形成の凸状係止部１８ａと、容器下部４位置で係り合わせる。これにより覆い蓋２０が、必ずゼオライト２４の上部を覆う位置に配置する。
【００１３】
ここで本発明の係止部は、覆い蓋２０を係止可能であるならば、いかなる形状であってもよい。例えば、図５に示す容器本体２には、容器本体２内壁をへこませた凹状係止部１８ｂがある。凹状の凹状係止部１８ｂに覆い蓋２０の縁部２２が嵌り込むことで、より強固に凹状係止部１８ｂと覆い蓋２０が係り合うこととなる。
更に、図１０に示す容器本体２では、容器本体２の側壁を内側に引き絞って（容器本体２内壁面に対して縦断面略横Ｕ字状に湾曲して）形成の湾曲状係止部１８ｃがある。この湾曲状係止部１８ｃは、容器本体２の側壁を容器内側に引き絞って形成しているので、容器本体２表面側の形成箇所が凹状となっている。このため容器本体２の表面の感触などにより湾曲状係止部１８ｃの形成箇所を容易に見分けることができるので、湾曲状係止部１８ｃに対して覆い蓋２０をより簡単に係止することができる。
【００１４】
そして覆い蓋２０の頂部には、下方に円錐状に突出の挿入部２６があり、挿入部２６には、その中心軸に沿って形成のストロー１４を挿入可能な挿入穴３２がある。
挿入部２６は、その下方先端が先細りして狭小部３０となり、狭小部３０部分の挿入穴３２は、ゼオライト２４が通過不能な径寸法である。そして狭小部３０には、ストロー１４の挿入方向に沿って走る４本の切目２８がある。狭小部３０部分の挿入穴３２にストロー１４を挿入することにより、狭小部３０が切目２８より分かれて拡開して、狭小部３０部分の挿入穴３２をストロー１４が通過可能となる。そしてストロー１４により拡開の狭小部３０は、その拡開時の反発弾性力によりストロー１４を締め付ける。このため、容器下部４に挿入のストロー１４を、ゼオライト２４付近の液体を吸出可能な挿入時の配置位置に位置決め固定することができる。
【００１５】
そして覆い蓋２０には、その厚み方向に貫通して形成の複数の流通穴３４（図では、便宜上一つの流通穴にのみ符号を付す）がある。この流通穴３４は、ゼオライト２４の粒径よりも小さい径寸法であり、ゼオライト２４が流通不能である。容器下部４には、ストロー１４にて吸出した液体分だけ、容器上部６の液体が流通穴３４を通過して補充される。
【００１６】
図６（Ｉ）は、覆い蓋の変形例を示す下方斜視図であり、同図（ＩＩ）は、覆い蓋の別の変形例を示す縦断面図である。
上述の挿入部２６は、ストロー１４（図４を参照）を挿入することにより拡開可能な構成であれば如何なる構成であってもよい。
例えば図６（Ｉ）のように、容器１０には、複数の樹脂製平板２７を略円錐状に配置して挿入部２６ａを形成してもよい。挿入部２６ａを形成の各平板２７は、各々、独立の部材であり、ストロー１４（図４を参照）の挿入方向全長にわたって各平板２７間に隙間（切目２８に相当）があるため、狭小部３０が拡開しやすくなる。
また同図６（ＩＩ）のように、容器１０には、狭小部３０の厚みを薄くして形成の挿入部２６ｂを設けてもよい。このようにすれば、狭小部３０の厚みが薄いので、ストロー挿入時（図４を参照）にあまり力を込めなくとも狭小部３０を拡開することができる。
【００１７】
本実施例の容器１０によれば、容器下部４に配置のゼオライト２４を覆い蓋２０にて覆う構成なので、ゼオライト２４が容器開口１６から出てきにくく、容器本体２内からゼオライト２４を容易には取出不可である。またストロー１４を挿入するための挿入部２６は、ゼオライト２４が通過不能な径寸法の狭小部３０を有しているので、例えば容器２の水洗い時などに、覆い蓋２０の挿入部２６を通過してゼオライト２４が容器上部６に出てくることもない。このため容器１０では、子供やお年寄りが、容器本体２からゼオライト２４を取り出して誤飲することを防止又はその危険性が低減する。
そして容器１０は、ストロー１４の吸い口１５が、覆い蓋２０を通過して容器下部４に配置可能なので、容器下部４の液体（ゼオライト２４にて浄化済みの液体）をストロー１４にて効率良く吸い出すことができる。
そして容器１０によれば、小学生や中学生及び高校生などの（６歳〜１８歳程度の成長期の）青少年、お年寄り、病院入院中の方又は寝たきり病人の方に少しずつ浄化済みのおいしい飲料水を提供することができる。
【００１８】
さらに容器１０は、ゼオライト２４を覆い蓋２０で覆うことにより、容器本体２内におけるゼオライト２４の動きを制限し、ゼオライト２４同士が衝突して損傷すること（欠けたり、割れたりすること）を低減又は防止する。これにより容器本体２では、ゼオライト２４の損傷により生ずる粉状ゼオライトの発生を低減又は防止できる。
そして容器１０では、先曲り金具などの治具を用いて覆い蓋２０と凸状係止部１８ａとの係り合いを解除し、覆い蓋２０を、容器開口１６を通過可能な形状に変形して取り出す構成である。すなわち容器１０では、覆い蓋２０を取り去ることで初めて、容器下部４に配置のゼオライト２４が容器開口１６より取出可能となり、容器本体２内のゼオライト２４を交換することができる。
【００１９】
さらに容器１０は、後述する他の構造よりも簡単な構成にて上述の効果を達成できる。
他の構造例は、例えばゼオライト２４を目の粗い網袋に収納した状態で、容器開口１６から容器本体２に入れる構造である。また別の他の構造例は、小径のゼオライト２４を、長筒に収納した状態で、容器開口１６から容器本体２に入れる構造である。
【００２０】
［実施例２］
図７は、実施例２の容器を示す斜視図であり、図８は、同容器の縦断面図である。
ここで実施例２の容器１０ａは、上述の実施例１の容器１０とほぼ同じ基本構造を有するので、実施例１と対応の部材には対応する符号を付すことで詳細説明を省略することとする。
そして容器１０ａは、覆い蓋２０ａを容器本体２と一体に形成していることを特徴とする。このようにすれば、覆い蓋２０ａによって確実にゼオライト２４を覆うことができ、ゼオライト２４を容器開口１６より必ず取出不可とすることができる。なおゼオライト２４は、覆い蓋２０ａに設けた専用の孔部（図示しない）から容器下部４に収納する構成してもよい。そして専用の孔部は、容易には開放しないよう蓋をすることが望ましい。
【００２１】
［実施例３］
図９は、実施例３の容器の縦断面図である。
ここで実施例３の容器１０ｂは、上述の実施例１又は２の容器１０（１０ａ）とほぼ同じ基本構造を有するので、実施例１又は２と対応の部材には対応する符号を付すことで詳細説明を省略することとする。
容器１０ｂでは、ストロー１４ｂと覆い蓋２０ｂが一体（覆い蓋２０ｂにストロー１４ｂを予め通過させた構造）である。覆い蓋２０ｂは、容器開口１６を通過して容器本体２内に出し入れ可能なように変形可能な可撓性を有し、容器本体２は、覆い蓋２０ｂを係止可能な凸状係止部１８ａを有する。
上述の構成によれば、容器１０ｂは、ストロー１４ｂを容器本体２に挿入することで同時に、ゼオライト２４を覆い蓋２０ｂ（ストロー１４ｂと一体）にて覆うことができる。また容器１０ｂは、ストロー１４ｂを容器開口１６から取り出すと同時に覆い蓋２０ｂを容器本体２から取り出し可能な構成なので、覆い蓋２０ｂを取り出すための治具（覆い蓋２０ｂの別体）を必要としない。
【００２２】
本実施の形態の容器は、本実施の形態で説明した外観、構成、処理、表示例等に限定されず、種々の変更、追加、削除が可能である。
本実施例では、ゼオライト２４の最下部配置位置を容器本体２の底とした例を説明した。これとは異なり、容器１０は、容器本体２の底よりも上部にゼオライト２４を支える支持板（貫通穴を有することが望ましい）を配置し、この支持板をゼオライト２４の最下部配置位置として、容器本体２の底と支持板との間に若干の隙間を設けた構成でもよい。すなわち容器１０では、必ずしも容器本体２の底にゼオライト２４を配置する必要はない。このようにして設けた容器本体２の底と支持板との間の隙間は、容器内に発生の粉状ゼオライトを貯蔵する部位としての役割がある。
【００２３】
また本実施例では、円筒状のストロー１４の例を説明したが、ストロー１４の形状は特に限定するものではなく、容器下部４の液体を吸出し可能な長さ寸法を有するものであれば如何なる形状であってもよい。なおストロー１４内径の径寸法は、ゼオライト２４を誤って吸い出すことのないよう、ゼオライト２４の径よりも小さいことが望ましい。またストロー１４の吸い口１５は、筒状に限られず、下斜めに向かって切り欠いた切欠構成であってもよい。
また本実施例では、キャップ１２を用いて容器開口１６を開閉する例を説明したが、本発明では、容器開口１６を開閉可能であれば、いかなる形状のキャップであってもよい。
例えば、キャップ１２を閉めて閉蓋時とした際に、ストロー１４の流路を押圧して溶液を吸出し不可とする構成としてもよい。具体的には、キャップ１２閉時において、キャップ１２に設けた一対の押圧片（本実施例では図示しない）の間にストロー１４が挟まる構成としてもよく、特開２０００−３３５６１６号公報に開示の開閉機構を適用してもよい。このような構成によれば、ワンタッチ式でキャップ１２を開閉可能であって、ストロー１４からの液漏れをより確実に回避することができる。このため当該構成のキャップを適用することで、青少年や病人の方又は自動車などの車輌運転者に対して、より安全で使いやすい容器となる。
【００２４】
また本実施例では、容器本体２と覆い蓋２０が一体となった例（実施例２）及びストロー１４と覆い蓋２０が一体となった例（実施例３）を説明した。これとは異なり、ストロー１４、覆い蓋２０及び容器本体２とがすべて一体となった容器であってもよい。このようにすれば、覆い蓋２０ａによって更に確実にゼオライト２４を覆うことができ、ゼオライト２４を容器開口１６より必ず取出不可とすることができる。このような場合は、容器上部６と容器下部４を互いに螺合して着脱可能とすることが望ましく、両者を分離することでゼオライト２４を交換することができる。
【００２５】
また実施例においては、ペットボトルタイプの容器１０，１０ａ，１０ｂの例を説明した。これとは異なり、一升瓶タイプ（１〜２Ｌサイズ）の容器であってもよい。また容器は、実施例のように上部先端に向かって細くなっていてもよく、単なる筒状の容器であってもよい。すなわち本実施例の容器は、液体を収納可能な容器であればよく、その大きさ及び形状は特に制限しない。
ここで液体とは、ジュース、水、酒、酢、しょう油、スープ、ソース及び油などの飲食用の液体や、牛乳やマヨネーズなどの乳濁液（エマルジョン）や、蜂蜜やシロップなどのゾルも流動性を有する限り含まれる。さらに液体は、飲食用の液体に限ることなく、化粧乳液や血液などの乳濁液や、塗料やインキなどのゾル、墨汁などの懸濁液（サスペンジョン）も含む。
また容器の材質は、上記液体のいずれかに対して難溶性の材質であればよく、例えば水の場合、水に対して難溶性の樹脂や金属を容器の材質として用いることができる。
【００２６】
また本実施例における自然石とは、天然より産出の天然石のほか、天然石と同様の浄化作用を有する人工自然石（例えば、ゼオライト・セラミックスの人工自然石）も含む。
ここで浄化作用とは、例えば、硬水中のカルシウムイオンやマグネシウムイオンを自然石中のナトリウムイオンと置換（イオン交換作用）することにより、水の硬度を下げる硬水軟水化剤としての作用がある。また自然石に形成の微細孔によって、液体分子、気体分子又は固体分子などの不純物を吸着する吸着作用が浄化作用の一例である。そして、自然石のイオン交換作用を利用して、液体中に存在の物質（特に有害物質）を除去処理する作用も浄化作用の一例である。さらに吸着作用を利用して、不純物を分解除去する際の触媒として働く触媒作用も浄化作用の一例である。そして自然石は、上記作用のうち少なくとも一つの作用を有するものであればよい。
【図面の簡単な説明】
【００２７】
【図１】実施例１の容器の斜視図である。
【図２】実施例１の容器の縦断面図である。
【図３】挿入部を目視可能なように下から仰ぎ見たときの覆い蓋の斜視図である。
【図４】（Ｉ）は、ストローを挿入部に挿入する前の覆い蓋を示す容器の一部縦断面図であり、（ＩＩ）は、ストローを挿入部に挿入したときの覆い蓋を示す容器の一部縦断面図である。
【図５】実施例１の容器（係止部）の変形例の縦断面図である。
【図６】（Ｉ）は、覆い蓋の変形例を示す下方斜視図であり、同図（ＩＩ）は、覆い蓋の別の変形例を示す縦断面図である。
【図７】実施例２の容器を示す斜視図である。
【図８】実施例２の容器の縦断面図である。
【図９】実施例３の容器の縦断面図である。
【図１０】実施例１の容器（係止部）の別の変形例の縦断面図である。
【符号の説明】
【００２８】
２     容器本体
４     容器下部
６     容器上部
１０   実施例１の容器
１０ａ 実施例２の容器
１０ｂ 実施例３の容器
１２   キャップ
１４   ストロー
１５   ストローの吸い口
１６   容器開口
１８ａ 凸状係止部
１８ｂ 凹状係止部
１８ｃ 湾曲状係止部
２０   実施例１の覆い蓋
２０ａ 実施例２の覆い蓋
２０ｂ 実施例３の覆い蓋
２２   覆い蓋の縁部
２４   粒状ゼオライト
２６   挿入部
２８   切目
３０   狭小部
３２   挿入穴
３４   流通穴
【図１】
2008081159.tif 000003
【図２】
2008081159.tif 000004
【図３】
2008081159.tif 000005
【図４】
2008081159.tif 000006
【図５】
2008081159.tif 000007
【図６】
2008081159.tif 000008
【図７】
2008081159.tif 000009
【図８】
2008081159.tif 000010
【図９】
2008081159.tif 000011
【図１０】
2008081159.tif 000012